(57)【要約】      （修正有）【課題】使用時に挟持力が磁石だけに集中せず、また、繰り返し使用しても磁石などがはがれ落ちないマグネットクリップを提供する。【解決手段】１本の直線の上に２本以上の折り曲げ線２ｃを離して配列し、この折り曲げ線を介して厚みのある２枚の台紙２ａ，２ｂを折り畳み自在に連結し、折り曲げ線２ｃと折り曲げ線２ｃの中間には、一方の台紙２ａと一体の凸部５を形成すると共に、この凸部５と嵌り合う凹部６を他方の台紙２ｂに形成する。折り畳んだ台紙２ａの合わせ面に凹陥部７を形成して、それに磁石８を嵌め込んで磁石８の上面と台紙２ａの合わせ面を同じにし、また他方の台紙２ｂの厚みの中には磁性体シート９を埋め込んで、台紙２ａ，２ｂを折り畳んだとき磁石８が磁性体シート９を吸引する。【選択図】図１
0003165969.tif 000002
【実用新案登録請求の範囲】
【請求項１】
１本の直線の上に２本以上の折り曲げ線を離して配列し、この折り曲げ線を介して厚みのある２枚の台紙を折り畳み自在に連結し、折り曲げ線と折り曲げ線の中間には、一方の台紙と一体の凸部を形成すると共に、この凸部と嵌り合う凹部を他方の台紙に形成し、  そして折り畳んだ台紙の合わせ面に凹陥部を形成して、それに磁石を嵌め込んで磁石の上面と台紙の合わせ面を平滑に形成し、また他方の台紙の厚みの中には磁性体シートを埋め込んで、台紙を折り畳んだとき磁石が磁性体シートを吸引するように構成することを特徴とするマグネットクリップ。
【請求項２】
前記台紙が紙にプラスチック製シートを積層した材料で出来ていて、前記折り曲げ線がこのプラスチック製シートにより形成されていることを特徴とする請求項１に記載のマグネットクリップ。
【請求項３】
前記２枚の台紙のうち、一方の面積を他方のそれより大きく形成することを特徴とする請求項１又は２に記載のマグネットクリップ。
【考案の詳細な説明】
【技術分野】
【０００１】  本考案は、磁石の力で紙片を挟む形式のマグネットクリップに関する。
【背景技術】
【０００２】  一端を接合した二つの板片の一方に永久磁石を他方に磁性材料をそれぞれ取付け、永久磁石と磁性材料の間で紙片を挟む形式のマグネットクリップがある（特許文献１）。  この特許文献１のマグネットクリップは、本のしおりとして利用するとき、接合部が本の端から飛び出て目立つので便利がいいが、半面、二つの板片は接合部が邪魔して平面に展開できないため、用途が本のしおりに限られてしまう。  また永久磁石や磁性材料が板片の表面から突出しているので、挟持力が磁石の面積に限定されるし、繰り返し使用しているうちに、永久磁石や磁性材料が板片よりはがれ落ちてしまうという問題がある。
【先行技術文献】
【特許文献】
【０００３】
【特許文献１】実開昭６４−３０２７９号公報
【考案の概要】
【考案が解決しようとする課題】
【０００４】  本考案が解決しようとする課題は、しおり（栞）として使用するときは挟持力が磁石だけに集中しないようにすることであり、繰り返し使用しても磁石などがはがれ落ちたりしないようにすることにある。また二つ折り状態のほか展開して平面状態にして金属製のボードや壁に貼り付けられるようにし、クリップとしての用途の範囲を広げることにある。
【課題を解決するための手段】
【０００５】  請求項１のマグネットクリップは、１本の仮想的な直線の上に２本以上の折り曲げ線を離して配列し、この折り曲げ線を介して厚みのある２枚の台紙を折り畳み自在に連結し、折り曲げ線と折り曲げ線の中間には、一方の台紙と一体の凸部を形成すると共に、この凸部と嵌り合う凹部を他方の台紙に形成し、  そして折り畳んだ台紙の合わせ面に凹陥部を形成して、この凹陥部に磁石を嵌め込んで磁石の上面と台紙の合わせ面を平坦にし、また他方の台紙の厚みの中に磁性体シートを埋め込んで、台紙を折り畳んだとき磁石が磁性体シートを吸引するように構成する。  請求項２のマグネットクリップは、前記請求項１の台紙を紙にプラスチック製シートを積層した材料で作製し、前記折り曲げ線をこのプラスチック製シートにより形成することを特徴とする。  請求項３のマグネットクリップは、２枚の台紙のうち、一方の面積を他方のそれより大きく形成することを特徴とする。
【考案の効果】
【０００６】  請求項１の考案は、磁石の上面と台紙の合わせ面が平坦で、磁石に対向する磁性体シートも台紙の厚みの中に埋め込んであるので、折り畳んでしおりとして使用するとき、台紙と台紙が合わせ面の全面で吸着し合って、台紙間で紙を的確に挟持できる。また磁石や磁性体シートが台紙の合わせ面より突出しないので、台紙からはがれにくいという効果を奏する。加えて、一方の台紙の凸部を他方の台紙の凸部に嵌め込むと、凹凸が嵌り合って2枚の台紙を平面状に展開したまま保持できるので、磁石の力で冷蔵庫の外面に吸着して、紙片を固定するクリップとして使用したり、台紙にメモ書きしてメッセージカードとしても使用できる。  請求項２の考案は、台紙の折り曲げ線がプラスチック製シートにより形成されているので、繰り返し使用しても破断しづらく耐久性が良いという効果を奏する。  請求項３の考案は、２枚の台紙のうち、一方の面積を他方のそれより大きく形成するので、二つ折りしたとき大きい台紙が小さい台紙の外にはみ出て指先で掴み易く、閉じたしおりを開き易いという効果を奏する。
【図面の簡単な説明】
【０００７】
【図１】本考案のマグネットクリップの斜視図である。
【図２】図1のマグネットクリップを平面に展開した状態の斜視図である。
【図３】図1のマグネットクリップの断面図である。
【図４】マグネットクリップを製造する工程を説明する分解図である。
【図５】図1のマグネットクリップを本に挟んだ状態を示す図である。
【図６】マグネットクリップを冷蔵庫の扉に吸着させた状態の図である。
【図７】第２実施形態のマグネットクリップの斜視図である。
【図８】第３実施形態のマグネットクリップの斜視図である。
【考案を実施するための形態】
【０００８】  本考案に係るマグネットクリップの実施形態について図を参照して説明する。
【０００９】  １はマグネットクリップで、上端部に凸部５を有する矩形状の表側台紙２ａと、この表側台紙２ａと対になる矩形状の裏側台紙２ｂが折り曲げ線２ｃを介して折り畳み自在に連結している。折り曲げ線２ｃ、２ｃは台紙２a,２bの境界をなす仮想的な直線上に左右離れて位置している。凸部５は、折り曲げ線２ｃ、２ｃの中間に位置している。  表側台紙２ａ，裏側台紙２ｂは、いずれも、板紙３ａ，３ｂの間にプラスチック製シート４を挟むように積層した構造で、折り曲げ線２ｃの箇所だけ板紙３ｂがなく、板紙３ａとプラスチック製シート４のみで構成する。なお板紙３aを省略し、板紙３bとプラスチック製シート４のみで台紙２ａ，２ｂを構成してもよい。  プラスチック製シート４の材質は、例えばポリプロピレンが、紙と接着しやすく安価で繰り返し折り曲げても破れにくいため、好ましい。  裏側台紙２ｂの折り曲げ線２ｃ、２ｃの中間には、凸部５を上下反転した形状の凹部６を設ける。  裏側台紙２ｂの内側に凹陥部７を形成し、この凹陥部７にボタン状の磁石８を嵌め込む。凹陥部７の深さは磁石８と同じにし、嵌めた磁石８の上面と裏側台紙２ｂの表面を平坦にする。表側台紙２ａには鉄のような磁性体の磁性体シート９を埋設し、磁性体シート９と磁石８を対向させる。  磁石８は磁性材料製の壁やボードに吸着する必要性から磁力の強いものを使用する。  磁石８は必要に応じ複数個設ける。
【００１０】  マグネットクリップ１を製造するには、表面に印刷を施した板紙３ａの裏面にプラスチック製シート４を接合し板材とし、この板材を、表側台紙２ａ，折り曲げ線２ｃ及び裏側台紙２ｂを連結した長さの板片１１に切り分け、さらに切り分けた板片１１の中央部近傍に凸部５及び凹部６に相当する切り込み１２を入れる（図４）。  そして、この板片１１を、プラスチック製シート４が内側になるように折り曲げ線２ｃで折曲し、凸部５が連結した側を表側台紙２ａに、凹部６が形成された側を裏側台紙２ｂにする。  表側台紙２ａに磁性体シート９を重ね、その上に板紙３ｂ，３ｂを貼付ける。また裏側台紙２ｂには凹陥部７を設け、この凹陥部７に磁石８を嵌め込む。
【００１１】  マグネットクリップ１の表側台紙２ａと裏側台紙２ｂ間で紙片や本の頁を挟む。図５は本の頁１３を挟んだ状態を示す。磁石８と磁性体シート９の間の吸着力は、表側台紙２ａと裏側台紙２ｂの全面に作用するので、本の頁１３はしっかりと挟持される。  さらに、紙片１４を挟持した状態で、図６に示す冷蔵庫の扉１５や磁性材料製のボードなどに固定してもよい。これがクリップとしての使用である。  凸部５の形状、大きさは任意であるが、大人が指で掴みやすい程度の大きさにするとよい。また、この部分に表側台紙２ａ及び裏側台紙２ｂとは違った印刷を施すと、本のしおりとして使った際の目印にもなる。また、本のしおりとして使用した際でも凸部５は隠れないので、ここに広告を施し、販売促進用にしてもよい。  また、マグネットクリップ１は、図２に示すように平面状に展開できる。この平面状のもので、磁石の力で冷蔵庫の外面に吸着して、メモ用紙などを固定するクリップとして使用することもできる。平面状に展開した台紙２a,２bにメッセージを書き込めばメッセージカードとしても使用できる（図６）。
【００１２】  次に、第２実施形態について説明する。  前記の第1実施形態との違いは、２枚の台紙２ａ，２ｂのうち、一方の面積を他方のそれより大きく形成した点である（図７では裏側台紙２ｂを大きく形成する）。  このようにしたマグネットクリップ１は、折り曲げると、いずれか一方の台紙２ａ，２ｂの一部が他方より露出する。  この露出した台紙の一部を片手で掴み、もう一方の手で他方の台紙を掴み開くことによりマグネットクリップ１を容易に開くことができる。  特に、図７に示すように、裏側台紙２ｂを大きく形成すると、露出した裏側台紙２ｂの一部を片手で掴み、もう一方の手で凸部５を掴み押すことにより、力の弱い幼児でも容易にマグネットクリップ１を開くことができる。
【００１３】  上記の各実施形態において、外側をプラスチック製のシートで被覆すると、水に濡れても破損しにくい。  また、表側台紙２ａ及び裏側台紙２ｂは矩形状に限らず各種形状であってもよい。ただし、表側台紙２ａ及び裏側台紙２ｂは、折り曲げ線２ｃを介してほぼ対称にすると紙片などを挟む部分の面積が大きく、マグネットクリップの機能を充分に果たせる。  図では、円形の磁石８を１個埋設しているが、これに限るものではない。磁石は矩形などの各種形状であってよく、個数も複数であってよい。磁石を複数埋設すると、吸着力が向上し、多枚数の紙片を挟み壁に固定できる。  また、上記の各実施形態では折り曲げ線２ｃを２本配列しているが、３本以上であってもよい（第３実施形態）。３本以上の場合には、凸部５も凹部６も複数できる（図８参照）。さらに、折り曲げ線２ｃは少なくともプラスチック製シートにより形成されていればよく、板紙を貼着する必要はない。ただし、板紙を貼着すると、折り曲げ難くなるが丈夫になる。
【符号の説明】
【００１４】    １    マグネットクリップ    ２ａ  表側台紙    ２ｂ  裏側台紙    ２ｃ  折り曲げ線    ５    凸部    ６    凹部    ７    凹陥部    ８    磁石    ９    磁性体シート
【図１】
0003165969.tif 000003
【図２】
0003165969.tif 000004
【図３】
0003165969.tif 000005
【図４】
0003165969.tif 000006
【図５】
0003165969.tif 000007
【図６】
0003165969.tif 000008
【図７】
0003165969.tif 000009
【図８】
0003165969.tif 000010